(57)【特許請求の範囲】
【請求項１】
無線通信端末が実行する方法であって、
無線通信端末が、サブフレームの第１のリソース・ブロックの第１の組の時間シンボルの１つまたは複数の空間層において第１のセットのパイロット信号リソース要素と制御情報とを受け取る工程であって、第１のリソース・ブロックは該サブフレームの第１のセットの周波数キャリアにわたっている、前記工程と、
無線通信端末が、前記サブフレームの第２のリソース・ブロックの前記第１の組の時間シンボルの１つまたは複数の空間層において第２のセットのパイロット信号リソース要素とデータとを受け取る工程であって、第２のリソース・ブロックは前記サブフレームの前記サブフレームの第２のセットの周波数キャリアにわたっている、前記工程と、
無線通信端末が、前記第１のセットのパイロット信号リソース要素を使用して前記制御情報が受け取られた前記１つまたは複数の空間層を復号する工程であって、前記第１のセットのパイロット信号リソース要素は、層ごとに第１の個数のパイロット信号リソース要素を含む、前記工程と、
無線通信端末が、前記第２のセットのパイロット信号リソース要素を使用して前記第２のリソース・ブロックにおいて前記データが受け取られた前記１つまたは複数の空間層を復号する工程であって、前記第２のセットのパイロット信号リソース要素は、層ごとに第２の個数のパイロット信号リソース要素を含む、前記工程と、を備え、
前記第１の個数は前記第２の個数よりも大きい、方法。
【請求項２】
層ごとの前記第１の個数のパイロット信号リソース要素は、リソース・ブロックごとの層ごとの第１の個数のパイロット信号リソース要素であり、
層ごとの前記第２の個数のパイロット信号リソース要素は、リソース・ブロックごとの層ごとの第２の個数のパイロット信号リソース要素である、請求項１に記載の方法。
【請求項３】
前記第２のセットの周波数キャリアは、前記第１のセットの周波数キャリアと重ならない、請求項１に記載の方法。
【請求項４】
前記第２のセットの周波数キャリアのサイズは、前記第１のセットの周波数キャリアのサイズと同じである、請求項１に記載の方法。
【請求項５】
前記第１のセットのパイロット信号リソース要素を使用して前記制御情報が受け取られた前記１つまたは複数の空間層を復号する工程は、無線通信端末が、前記第１のセットのパイロット・リソース要素に基づいてチャネル推定を行う工程を含む、請求項１に記載の方法。
【請求項６】
無線通信端末が、前記サブフレームの第３のリソース・ブロックの１つまたは複数の空間層において第３のセットのパイロット信号リソース要素とデータとを受け取る工程であって、第３のリソース・ブロックは前記サブフレームの第２の組の時間シンボルおよび前記サブフレームの前記第１のセットの周波数キャリアにわたっている、前記工程と、
無線通信端末が、前記第３のセットのパイロット信号リソース要素を使用して前記第３のリソース・ブロックにおいて前記データが受け取られた前記１つまたは複数の空間層を復号する工程であって、前記第３のセットのパイロット信号リソース要素は、層ごとに前記第１の個数以上である第３の個数のパイロット信号リソース要素を含む、前記工程と、をさらに備え、
前記サブフレームの第２の組の時間シンボルは、前記サブフレームの第１の組の時間シンボルと異なる、請求項１に記載の方法。
【請求項７】
前記第３の個数は前記第１の個数の２倍と等しい、請求項６に記載の方法。
【請求項８】
無線通信端末が、第１のアンテナ・ポートに関連付けられた前記第１のセットのパイロット信号リソース要素を使用して前記制御情報が受け取られた空間層を復号する工程と、
無線通信端末が、該第１のアンテナ・ポートに関連付けられた前記第２のセットのパイロット信号リソース要素を使用して前記データが受け取られた空間層を復号する工程と、を備える請求項１に記載の方法。
【請求項９】
前記第１のセットのパイロット信号リソース要素および前記第２のセットのパイロット信号リソース要素は、前記サブフレームの共通の時間シンボルを占有する、請求項８に記載の方法。
【請求項１０】
無線通信端末が、前記第１のセットのパイロット信号リソース要素のみを使用して制御情報を受け取る工程を備える、請求項８に記載の方法。
【請求項１１】
無線通信端末が、第１のアンテナ・ポートおよび第２のアンテナ・ポートに関連付けられた前記第１のセットのパイロット信号リソース要素を使用して前記制御情報が受け取られた空間層を復号する工程と、
無線通信端末が、第３のアンテナ・ポートに関連付けられた前記第２のセットのパイロット信号リソース要素を使用して前記データが受け取られた空間層を復号する工程と、を備える請求項１に記載の方法。
【請求項１２】
前記第１のセットのパイロット信号リソース要素および前記第２のセットのパイロット信号リソース要素は、前記サブフレームの共通の時間シンボルを占有する、請求項１１に記載の方法。
【請求項１３】
前記第１のアンテナ・ポートは前記第３のアンテナ・ポートと同じである、請求項１１に記載の方法。
【請求項１４】
無線通信端末が、前記制御情報を使用して前記サブフレームの前記第２のリソース・ブロックにおいてデータが期待されることを決定する工程と、
無線通信端末が、前記制御情報を使用して前記第２のリソース・ブロックにおいて前記データが受け取られた前記１つまたは複数の空間層を復号する工程と、を備える請求項１に記載の方法。
【請求項１５】
無線通信端末が、基地ユニットから受け取られた信号に基づいて前記サブフレームの前記第１のリソース・ブロックにおいて制御情報が期待されることを決定する工程をさらに備える、請求項１に記載の方法。
【発明の詳細な説明】
【技術分野】
【０００１】
本開示は、一般に無線通信に関し、より詳細には無線通信システムにおける制御チャネルを受け取るための基準信号構造に関する。
【背景技術】
【０００２】
現行の第３世代パートナーシップ・プロジェクト（３ＧＰＰ）ロング・ターム・エボリューション（ＬＴＥ）システムのＲｅｌｅａｓｅ８、９および１０では、基地局（またはｅＮＢ）からのダウンリンク（ＤＬ）制御シグナリングは、サブフレームの第１の１／２／３／４シンボルでユーザ機器（ＵＥ）によって受け取られる。残りのシンボルはデータを受け取るために使用される。制御シグナリングは、サブフレームのキャリア帯域幅（ＢＷ）全体に広がり、また制御シグナリングは、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）上でＵＥによって受け取られる。データは、キャリアＢＷ全体またはＢＷの一部を占有する選択リソース・ブロックにおいてＵＥによって受け取られる。データは、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）上で受け取られる。ＵＥで受け取られたフレーム構造は図１Ａ〜１Ｃに示されている。
【０００３】
ＵＥは、ＰＤＣＣＨ上で送られた情報を復号するために、ＰＤＣＣＨを受け取った後にチャネル推定を行う必要がある。チャネル推定を行うために、ＵＥは、サブフレームにおいて基準信号（ＲＳ）またはパイロット・シンボルを受け取る。基準シンボルは、１つまたは複数のアンテナ・ポートに関連付けられる。ＬＴＥ  Ｒｅｌｅａｓｅ８、９および１０では、ＵＥは、ＰＤＣＣＨを受け取るためにアンテナ・ポート０、１、２、３のうちの１つまたは複数に関連付けられた基準信号を使用する。アンテナ・ポート０、１、２、３に対するＲＳ構造が図１Ａ〜１Ｃに示されており、図中、リソース要素Ｒ０、Ｒ１、Ｒ２、Ｒ３がそれぞれアンテナ・ポート０、１、２、３に関連付けられた基準信号を搬送する。アンテナ・ポートは、アンテナ・ポート上のシンボルが搬送されるチャネルが、同じアンテナ・ポート上の別のシンボルが搬送されるチャネルから推測できるように定義される。
【０００４】
ＬＴＥ  Ｒｅｌｅａｓｅ１０（Ｒｅｌ−１０）では、（ＰＤＳＣＨで送られた）データを復調するために、ＵＥは、ＰＤＳＣＨ受信に使用される伝送方式に基づいて、アンテナ・ポート０、１、２、３に関連付けられた基準信号を使用すること、または他のアンテナ・ポート７、８、９、１０、１１、１２、１３、１４の全部または一部に関連付けられた基準信号を使用することが可能である。３ＧＰＰ  ＬＴＥでは、伝送方式はｅＮＢからの構成シグナリングに依存する。このような他のアンテナ・ポートに関連付けられた基準信号は一般に、「ＵＥ固有基準信号（ＵＥＲＳ：ＵＥ  ｓｐｅｃｉｆｉｃ  ｒｅｆｅｒｅｎｃｅ  ｓｉｇｎａｌ）」、または「復調基準信号（ＤＭＲＳ：Ｄｅｍｏｄｕｌａｔｉｏｎ  ｒｅｆｅｒｅｎｃｅ  ｓｉｇｎａｌ）」、または「専用基準信号（ＤＲＳ：Ｄｅｄｉｃａｔｅｄ  ｒｅｆｅｒｅｎｃｅ  ｓｉｇｎａｌｓ）」と呼ばれる。アンテナ・ポート０、１、２、３に関連付けられた基準信号は一般に「共通基準信号（ＣＲＳ：Ｃｏｍｍｏｎ  Ｒｅｆｅｒｅｎｃｅ  Ｓｉｇｎａｌ）」と呼ばれる。ＣＲＳは、ｅＮＢによってキャリア帯域幅全体に送られるのに対し、ＤＭＲＳは、ＵＥがＰＤＳＣＨ割当てを有するそれらのＲＢに存在できるだけである。したがって、ＤＭＲＳを使用してＰＤＳＣＨを受け取るために、ＵＥは、ＵＥがＰＤＳＣＨ割当てを有するそれらのＲＢに存在するＤＭＲＳを使用することができるだけである。
【０００５】
ＬＴＥ  Ｒｅｌ−１１では、新しいＤＬ制御シグナリングが、サブフレームの第１のスロットにわたるシンボルまたはサブフレームの第１のスロットと第２のスロットの両方にわたるシンボルで基地局によってＵＥへ送られることが想定される。この新しいＤＬ制御シグナリングは一般に拡張ＰＤＣＣＨ（Ｅ−ＰＤＣＣＨ）と呼ばれる。チャネル帯域幅全体に送信されるＰＤＣＣＨと異なり、ＵＥは、周波数領域でキャリア帯域幅の一部だけにわたりうるセットのＲＢにおいてＥ−ＰＤＣＣＨを受け取ることが期待される。また、ＣＲＳを使用してＵＥにより受け取られるＰＤＣＣＨと異なり、Ｅ−ＰＤＣＣＨは、ＤＭＲＳを使用してＵＥにより受け取られることが可能であると想定される。
【０００６】
本発明の様々な態様、特徴、および利点は、下記の添付図面とともに以下の発明を実施するための形態を注意深く考察することにより、当業者により十分に明らかとなるであろう。図面は明確にするために単純化されていることがあり、必ずしも原寸に比例していない。
【図面の簡単な説明】
【０００７】
【図１Ａ】ＵＥで受け取られる従来技術のフレーム構造の図。
【図１Ｂ】ＵＥで受け取られる従来技術のフレーム構造の図。
【図１Ｃ】ＵＥで受け取られる従来技術のフレーム構造の図。
【図２Ａ】ＵＥで受け取られる可能なＬＴＥ  Ｒｅｌ−１１フレーム構造の図。
【図２Ｂ】ＵＥで受け取られる可能なＬＴＥ  Ｒｅｌ−１１フレーム構造の図。
【図２Ｃ】ＵＥで受け取られる可能なＬＴＥ  Ｒｅｌ−１１フレーム構造の図。
【図３】無線通信システムの図。
【図４】無線通信装置および付随するアクセサリの概略ブロック図。
【図５】リソース・ブロック・ペアにおけるＤＭＲＳアンテナ・ポート７、８、９および１０のための伝送構造の図。他のＤＭＲＳアンテナ・ポート、すなわちポート１１、１２、１３、および１４は、長さ４のウォルシュ（Ｗａｌｓｈ）符号を使用することによって、ポート７、８、９、および１０によって占有された同じリソース要素上で多重化されうる。
【図６】ＨＡＲＱ−ＡＣＫターンアラウンド時間の図。
【図７Ａ】ＥＰＤＣＣＨ  ＲＢのための第１の修正されたＤＭＲＳ構造の図。
【図７Ｂ】ＥＰＤＣＣＨ  ＲＢのための第１の修正されたＤＭＲＳ構造の図。
【図７Ｃ】ＥＰＤＣＣＨ  ＲＢのための第１の修正されたＤＭＲＳ構造の図。
【図８Ａ】ＥＰＤＣＣＨ  ＲＢのための第２の修正されたＤＭＲＳ構造の図。
【図８Ｂ】ＥＰＤＣＣＨ  ＲＢのための第２の修正されたＤＭＲＳ構造の図。
【図８Ｃ】ＥＰＤＣＣＨ  ＲＢのための第２の修正されたＤＭＲＳ構造の図。
【発明を実施するための形態】
【０００８】
ＬＴＥ  Ｒｅｌ−１１では、新しいＤＬ制御シグナリングが、サブフレームの第１のスロットにわたるシンボルまたはサブフレームの第１のスロットと第２のスロットの両方にわたるシンボルで基地局によってＵＥへ送られることが想定される。この新しいＤＬ制御シグナリングは一般に、拡張ＰＤＣＣＨ（Ｅ−ＰＤＣＣＨ）と呼ばれる。チャネル帯域幅全体に送信されるＰＤＣＣＨと異なり、ＵＥは、周波数領域でキャリア帯域幅の一部だけにわたりうるセットのＲＢにおいてＥ−ＰＤＣＣＨを受け取ることが期待される。また、ＣＲＳを使用してＵＥにより受け取られるＰＤＣＣＨと異なり、Ｅ−ＰＤＣＣＨは、ＤＭＲＳを使用してＵＥにより受け取られることが可能であると想定される。
【０００９】
図２Ａ〜２Ｃは、ＵＥがＥ−ＰＤＣＣＨおよびＰＤＳＣＨを受け取ることが期待されるサブフレームを示す。図２Ａ〜２Ｃにおいて、縦軸で、周波数キャリアまたは周波数サブキャリアまたは周波数ビンとも呼ばれる周波数の複数のブロックが示される。横軸では、（ＯＦＤＭシンボルを単位とする）時間の複数のブロックが示される。サブフレームは、リソース・ブロック０（ＲＢ０）、リソース・ブロック１（ＲＢ１）、リソース・ブロック２（ＲＢ２）、およびリソース・ブロック３（ＲＢ３）のような複数のリソース・ブロック（ＲＢ）からなり、各ＲＢは、標準サイクリック・プレフィックスについての３ＧＰＰ  ＬＴＥにおける７個のＯＦＤＭシンボルなどの複数のＯＦＤＭシンボルからなるタイム・スロットにわたる１２個のＯＦＤＭサブキャリアなどの複数のサブキャリアからなる。典型的には、サブフレーム期間は、１ｍｓ（標準サイクリック・プレフィックスについての１４個のシンボル）であり、それは、それぞれ０．５ｍｓ（標準サイクリック・プレフィックスについての７個のシンボル）の期間の２つのタイム・スロットからなる。各ＲＢは、複数のリソース要素（ＲＥ）にさらに分割することができ、各ＲＥは、単一ＯＦＤＭシンボル上の単一ＯＦＤＭサブキャリアでありうる。図２Ａ〜２Ｃに示す例示的サブフレームでは、Ｅ−ＰＤＣＣＨはＲＢ０でＵＥに送られ、ＰＤＳＣＨはＲＢ１およびＲＢ３でＵＥに送られる。ＲＢ２は、この例では空として示されているが、ＲＢ２を使用してＰＤＳＣＨまたはＥ−ＰＤＣＣＨをＵＥに送ることもできる。リソース・ブロックは、物理リソース・ブロック（ＰＲＢ：Ｐｈｙｓｉｃａｌ  Ｒｅｓｏｕｒｃｅ  Ｂｌｏｃｋ）または仮想リソース・ブロック（ＶＲＢ：Ｖｉｒｔｕａｌ  Ｒｅｓｏｕｒｃｅ  Ｂｌｏｃｋ）でありうる。この説明では制御チャネル動作を記述するためにＰＲＢを使用しているが、各物理リソース・ブロックは、仮想リソース・ブロック（すなわちＶＲＢ）に関連付けられ、この関連付けは、ＶＲＢからＰＲＢへのマッピングによって、例えばマッピング規則を介して与えられる。ＶＲＢインデックスは、論理領域におけるリソース・ブロックのインデックス付けとみなすことができる。局在型の仮想リソース・ブロックは、物理リソース・ブロックに直接マッピングされ、これに対し、分散型の仮想ソース・ブロックは、インターリーブ規則を用いて物理リソース・ブロックにマッピングされる。リソースの割当ては局在化または分散化することができ、前者は、通常、周波数選択性スケジューリングのために使用される可能性があり、後者は、周波数ダイバーシチ・スケジューリングを可能にすることが目標とされる可能性がある。
【００１０】
複数の送信アンテナを有する基地ユニットと通信する複数の受信アンテナを有するＵＥは、多入力多出力（ＭＩＭＯ：Ｍｕｌｔｉｐｌｅ−Ｉｎｐｕｔ  Ｍｕｌｔｉｐｌｅ−Ｏｕｔｐｕｔ）通信をサポートすることができ、また、１つまたは複数のリソース・ブロック（ＲＢ）における１つまたは複数の空間層においてデータを受け取ることができる。基地ユニットは、空間層で伝達すべきデータをプリコードし、得られたプリコードされたデータを１つまたは複数のアンテナ・ポート上でマッピングし送信する。層に対応する実効チャネルは、一般に、１つまたは複数のアンテナ・ポートにマッピングされた基準信号に基づいて推定されうる。特に、現行のＬＴＥの仕様では、ＤＭＲＳに基づく復調（復調ＲＳまたはＵＥ固有ＲＳ）は、７〜１４の番号が付けられたアンテナ・ポートに基づきサポートされる。そして、空間層１〜８のそれぞれに対応する実効チャネルは、これらのアンテナ・ポートのそれぞれ１つにマッピングされる。これは、空間層に対応するチャネルを、その層に関連付けられたアンテナ・ポートに対応する基準信号に基づいて推定できることを意味する。アンテナ・ポートは、アンテナ・ポート上のシンボルが搬送されるチャネルが、同じアンテナ・ポート上の別のシンボルが搬送されるチャネルから推測できるように定義される。
【００１１】
より一般的には、アンテナ・ポートは、アンテナのうち１つまたは複数からの送信についての任意の明確に定義された記述に対応することができる。その一例として、アンテナ・ウェイトが適用されるセットのアンテナからのビームフォーミングされた送信を含むことができ、このセットのアンテナ自体はＵＥに不明でありうる。この場合、アンテナ・ポートに関連付けられた専用基準信号（またはパイロット信号）から実効チャネルを知ることができる。専用基準信号は、同じアンテナ・ウェイトがセットのアンテナに適用されるビームフォーミングされたデータ送信と同様にビームフォーミングされうる。通常、アンテナ・ポートに関連付けられた基準信号は、少なくともＵＥでのチャネル推定に使用される。いくつかの特定の実装形態では、アンテナ・ポートは基地ユニットにおける物理アンテナ・ポートを指すこともできる。そのようなアンテナ・ポートに関連付けられた基準信号は、対応するアンテナ・ポートからＵＥの受信機へのチャネルをＵＥが推定することを可能にする。実際の構成およびアンテナのウェイト付けに係わらず、ＵＥ復調のために、（１つまたは複数の）アンテナ・ポートに基づき推定されたチャネルは、関連付けられた空間層に対応するチャネルである。いくつかの事例では、基地ユニットで適用されたビームフォーミングまたはプリコーディングはＵＥに透過的であり、つまり、ＵＥは、どんなプリコーディング・ウェイトがダウンリンク上の特定の送信のために基地ユニットによって使用されるか知る必要がない。
【００１２】
パイロット信号リソース要素の特定のセットがアンテナ・ポートに関連付けられ、空間層がそのアンテナ・ポートにマッピングされた場合に、ＵＥは、その空間層においてパイロット信号リソース要素の特定のセットを受け取るということができる。
【００１３】
ＲＢにおける１つの空間層が１つのアンテナ・ポートにマッピングされた場合、その空間層で送られたデータを復号するためにＵＥが使用できるＲＢ内のパイロット信号リソース要素の個数は、その１つのアンテナ・ポートに関連付けられたＲＢ内のパイロット信号リソース要素の個数と等しい。これが、ＬＴＥ  Ｒｅｌｅａｓｅ１０の仕様および以前のリリースでの現行の動作である。
【００１４】
将来の仕様では、空間層が複数のアンテナ・ポートにマッピングされる可能性がある。ＲＢにおける１つの空間層が複数のアンテナ・ポートにマッピングされた場合、その空間層で送られたデータを復号するためにＵＥが使用できるＲＢ内のパイロット信号リソース要素の個数は、その複数のアンテナ・ポートに関連付けられたＲＢ内のパイロット信号リソース要素の個数の合計と等しい。
【００１５】
図３では、無線通信システム３００が、地理的領域にわたり分散された通信ネットワークを形成する複数のセル・サービング基地ユニットからなる。基地ユニットは、基地局、アクセス・ポイント（ＡＰ）、アクセス端末（ＡＴ）、Ｎｏｄｅ  Ｂ（ＮＢ）、拡張Ｎｏｄｅ  Ｂ（ｅＮＢ）、中継ノードとして、あるいは当技術分野で使用される他の過去、現在または未来の用語によって示される場合もある。１つまたは複数の基地ユニット３０１および３０２は、サービング・エリアもしくはセル内またはそのセクタ内でいくつかの遠隔ユニット３０３および３１０にサービスする。遠隔ユニットは、固定ユニットまたは移動端末でありうる。遠隔ユニットは、加入者ユニット、移動ユニット、ユーザ、端末、加入者局、ユーザ機器（ＵＥ）、ユーザ端末、無線通信端末、無線通信装置として、あるいは当技術分野で使用される他の用語によって示されることもある。ネットワーク基地ユニットは、無線リソースを使用して情報の送信および受信のスケジューリングなどの機能を実行するために遠隔ユニットと通信する。無線通信ネットワークはまた、他のネットワーク・エンティティによって制御されうる情報ルーティング、受付制御、課金、認証などを含む管理機能を備えることもできる。無線ネットワークの上記および他の態様は、当業者には一般的に知られている。
【００１６】
図３では、基地ユニット３０１および３０２は、時間および／または周波数および／または空間領域にありうる無線リソース上でダウンリンク通信信号を遠隔ユニット３０３および３１０へ送信する。遠隔ユニットは、アップリンク通信信号を介して１つまたは複数の基地ユニットと通信する。１つまたは複数の基地ユニットは、遠隔ユニットにサービスする１つまたは複数の送信機および１つまたは複数の受信機からなりうる。基地ユニットにおける送信機の個数は、例えば、基地ユニットにおける送信アンテナの個数に関係しうる。複数のアンテナを使用して、様々な高度な通信モード、例えば、適応ビームフォーミング、送信ダイバーシチ、送信ＳＤＭＡ、および多重ストリーム送信などを提供するために各セクタにサービスするとき、複数の基地ユニットが展開されうる。セクタ内のこれらの基地ユニットは、高度に統合されることが可能であり、様々なハードウェアおよびソフトウェアを共用することもできる。例えば、基地ユニットは、セルにサービスする複数の同じ場所に配置された基地ユニットからなりうる。遠隔ユニットもまた、１つまたは複数の送信機および１つまたは複数の受信機からなりうる。送信機の個数は、例えば、遠隔ユニットにおける送信アンテナ３１５の個数に関係しうる。
【００１７】
１実装形態では、無線通信システムは、ＥＵＴＲＡとも呼ばれる３ＧＰＰユニバーサル・モバイル通信システム（ＵＭＴＳ）ロング・ターム・エボリューション（ＬＴＥ）プロトコルに準拠し、基地ユニットは、ダウンリンク上で直交周波数分割多重（ＯＦＤＭ）変調方式を使用して送信を行い、ユーザ端末は、アップリンク上でシングル・キャリア周波数分割多元接続（ＳＣ−ＦＤＭＡ：ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）または離散フーリエ変換拡散ＯＦＤＭ（ＤＦＴ−ＳＯＦＤＭ：Ｄｉｓｃｒｅｔｅ  Ｆｏｕｒｉｅｒ  Ｔｒａｎｓｆｏｒｍ  ｓｐｒｅａｄ  ＯＦＤＭ）方式を使用して送信を行う。さらに別の実装形態では、無線通信システムは、ＬＴＥ−ＡまたはＬＴＥのいくらか最近の世代もしくはリリースとも呼ばれる３ＧＰＰユニバーサル移動体通信システム（ＵＭＴＳ）ＬＴＥ−Ａｄｖａｎｃｅｄプロトコルに準拠し、基地ユニットは、単一または複数のダウンリンク・コンポーネント・キャリア上で直交周波数分割多重（ＯＦＤＭ）変調方式を使用して送信を行い、ユーザ端末は、アップリンク上で単一または複数のアップリンク・コンポーネント・キャリアを使用して送信を行うことができる。より一般的には、無線通信システムは、何らかの他の公開または独自仕様の通信プロトコル、例えば、他の既存および将来のプロトコルのうちＷｉＭＡＸを実装することができる。アーキテクチャとして、マルチキャリアＣＤＭＡ（ＭＣ−ＣＤＭＡ）、マルチキャリア直接シーケンスＣＤＭＡ（ＭＣ−ＤＳ−ＣＤＭＡ：ｍｕｌｔｉ−ｃａｒｒｉｅｒ  ｄｉｒｅｃｔ  ｓｅｑｕｅｎｃｅ  ＣＤＭＡ）、１または２次元拡散を有する直交周波数および符号分割多重（ＯＦＣＤＭ：Ｏｒｔｈｏｇｏｎａｌ  Ｆｒｅｑｕｅｎｃｙ  ａｎｄ  Ｃｏｄｅ  Ｄｉｖｉｓｉｏｎ  Ｍｕｌｔｉｐｌｅｘｉｎｇ）などの拡散技法の使用を含むこともできる。本開示の特徴が実装されるアーキテクチャはまた、より単純な時間および／または周波数分割および／または空間分割多重／多元接続技法、あるいはこれら様々な技法の組み合わせに基づくことも可能である。代替実施形態では、無線通信システムは、ＴＤＭＡまたは直接シーケンスＣＤＭＡを含むがこれらに限定されない他の通信システム・プロトコルを利用することができる。通信システムは、ＴＤＤ（時分割二重）またはＦＤＤ（周波数分割二重）システムとしてもよい。本開示は、いずれか特定の無線通信システムアーキテクチャまたはプロトコルで実装されることを意図していない。
【００１８】
図４は、その例が論じられる無線通信プロトコルに従って通信するように構成された無線トランシーバ４１０を概して含む無線通信装置４００の概略ブロック図を示す。無線トランシーバ４１０は、第１の無線通信プロトコルに従って通信する第１のトランシーバと、場合よっては、ＷｉＦｉまたはＢＬＵＥＴＯＯＴＨ（登録商標）のような第２の無線通信プロトコルに従って通信する第２のトランシーバとを表す。１実施形態では、第１のプロトコルは、３ＧＰＰ  ＬＴＥあるいはその例を先に説明した何らかの他の既知または将来の無線プロトコルのようなセルラ通信プロトコルである。
【００１９】
図４では、トランシーバ４１０は、プロセッサ４２０に通信可能に結合され、１つまたは複数のトランシーバによる情報の送信および受信を制御する機能４２２を備える。トランシーバはまた、１つまたは複数のトランシーバによって受信された情報を復号する機能４２４を備える。本開示の上記および他の態様をさらに以下に説明する。コントローラの機能は、メモリ４３０に格納された命令を実行するデジタル・プロセッサとして容易に実装され、それらの命令はメモリ装置に格納されたファームウェアまたはソフトウェアとして具現化できる。ユーザ端末またはユーザ機器（ＵＥ）として実装されるとき、装置４００はまた、当業者に一般に知られるような触覚、視覚、および聴覚インターフェース要素を典型的に含むユーザ・インターフェース４４０を備えている。本開示に関系する端末４００の他の態様をさらに以下に説明する。
【００２０】
図５は、ＲＢペアにおけるＤＭＲＳアンテナ・ポート７、８、９、１０のための伝送構造を示す。アンテナ・ポートのグループに対応するＲＳは、各個別のアンテナ基準信号が異なるＲＥを占有する例えば符号分割多重（ＣＤＭ）または周波数／時間分割多重である当技術分野で知られる例えば任意の多重化方法またはその組み合わせを用いて、利用可能なＲＥのセット内へマッピングされうることを理解されたい。例えば、アンテナ・ポート７および８に対応するＲＳは、ＣＤＭを使用して多重化され、時間および周波数領域において同じＲＥにマッピングされる。他のＤＭＲＳアンテナ・ポート、すなわちポート１１、１３は、時間領域で長さ４のウォルシュ符号を使用することによりポート７、８に占有された同じリソース要素上で多重化されうる。同様に、アンテナ・ポート１２、１４に対するＤＭＲＳは、時間領域で長さ４のウォルシュ符号を使用することによりポート９および１０に占有された同じリソース要素上で多重化されうる。ＬＴＥ  Ｒｅｌ−８／９／１０では、ＰＤＳＣＨリソースは、通常はＲＢペアの単位でＵＥに割り当てられる。この場合、ＵＥは、ＰＤＳＣＨ復調のためにスロット０とスロット１の両方でパイロットを使用することができる。例えば、ＵＥは、アンテナ・ポート７を使用してＰＤＳＣＨリソースを受け取るように指定された場合、チャネル推定のためにＲＢペアにおける１２個のＲＥで送られたパイロット信号を使用することができる。Ｅ−ＰＤＣＣＨは、スロット０内のＲＢだけで、またはスロット０とスロット１の両方にわたるＲＢペアでＵＥに送られうる。各サブフレームにおいて、より多くのＰＤＳＣＨ処理時間を許容して、ＵＥの実装がＨＡＲＱ−ＡＣＫターンアラウンド・タイミング要件を満たすことが容易になるように、ＵＥは、Ｅ−ＰＤＣＣＨ上で送られたＤＬ制御情報をできるだけ早期に復号することが望ましい。したがって、Ｅ−ＰＤＣＣＨは、スロット０内のみのＲＢでＵＥに送られることが望ましい。
【００２１】
図６に１例を示す。サブフレーム期間はＴｓ  ｍｓと仮定する。サブフレームｋで受け取ったＰＤＳＣＨについて、ＵＥは、サブフレームｋ＋４でそのＰＤＳＣＨに対応するＨＡＲＱ−ＡＣＫを送らなければならない。ＰＤＳＣＨはＲＢペアでスケジューリングされているため、ＵＥはサブフレームｋの終わりまでＰＤＳＣＨの復号を開始することができない。また、サブフレームｋ＋４においてＨＡＲＱ−ＡＣＫを送信するために、ＵＥは、サブフレームｋ＋４の始まりの前にＰＤＳＣＨ復号およびＨＡＲＱ−ＡＣＫ準備を完了しなければならない。したがって、ＵＥは、ＰＤＳＣＨ復号およびＨＡＲＱ−ＡＣＫ準備のために最大３Ｔｓ  ｍｓを有する。ＵＥがＰＤＳＣＨ復号を開始できる前に、ＵＥがＥ−ＰＤＣＣＨを復号しなければならない。Ｅ−ＰＤＤＣＨを復号することは、ＵＥに特定的にアドレスされたダウンリンク制御情報（ＤＣＩ：ｄｏｗｎｌｉｎｋ  ｃｏｎｔｒｏｌ  ｉｎｆｏｒｍａｔｉｏｎ）を含む候補を様々なＥ−ＰＤＣＣＨ候補から探索することを伴う。この工程は、Ｅ−ＰＤＣＣＨブラインド復号とも呼ばれる。Ｅ−ＰＤＣＣＨペイロードは通常は小さい（＜１００ビット）が、ブラインド復号のため、必要とされる処理時間は小さくはない。Ｅ−ＰＤＣＣＨ復号時間はＴｅｐ  ｍｓと仮定する。ＵＥがＥ−ＰＤＣＣＨを復号するためにサブフレームｋの終わりまで待たなければならない場合、ＵＥは、ＰＤＳＣＨ復号を完了しＨＡＲＱ−ＡＣＫを準備するためにＴ１＝３Ｔｓ−Ｔｅｐ  ｍｓを有する（ＨＡＲＱ−ＡＣＫ準備時間）。他方で、ＵＥはサブフレームｋ自体において、すなわち第１のスロット自体の終わりでＥ−ＰＤＣＣＨの復号を開始すること（Ｅ−ＰＤＣＣＨ早期復号）ができる場合、ＵＥは、ＨＡＲＱ−ＡＣＫ準備のためにＴ１＝ｍｉｎ（３Ｔｓ，３．５Ｔｓ−Ｔｅｐ）ｍｓを有する。例えば、Ｔｓ＝１ｍｓかつＴｅｐ＝０．４Ｔｓ＝０．４ｍｓである場合、早期復号なしに、ＵＥは３−０．４＝２．６ｍｓのＨＡＲＱ−ＡＣＫ準備時間を有する。早期復号があると、ＵＥは、ｍｉｎ（３，３．５−０．４）＝ｍｉｎ（３，３．１）＝３ｍｓのＨＡＲＱ−ＡＣＫ準備時間を有する。この例では、早期復号により、ＵＥに利用可能なＨＡＲＱ−ＡＣＫ準備時間が１５％増大する。
【００２２】
ＵＥがスロット０におけるＲＥだけを使用してＥ−ＰＤＣＣＨを復号（早期復号）しなければならない場合、ＵＥはスロット０（第１のスロット）で送信されたＤＭＲＳを使用できるだけである。現行のＤＭＲＳ構造を用いると、Ｅ−ＰＤＤＣＨに対する早期復号がサポートされなければならない場合、ＵＥは、Ｅ−ＰＤＣＣＨ受信のために第１のスロットにおいて利用可能な６個のＤＭＲＳを使用できるだけである。これは、ＰＤＳＣＨ復号のために利用可能なＤＭＲＳの個数よりも小さい（ＰＤＳＣＨはＲＢペアで送られるため１２個を有する）。これは、チャネル推定性能の低下につながり、したがって、ＰＤＳＣＨ復号性能に比べて早期復号を用いるＤＬ  Ｅ−ＰＤＣＣＨ性能が低くなることにつながる。一般的に、Ｅ−ＰＤＣＣＨは重要な制御情報を含みＨＡＲＱサポートがないため、Ｅ−ＰＤＣＣＨ復号性能はＰＤＳＣＨ復号よりも高いべきである。したがって、Ｅ−ＰＤＣＣＨ早期復号を改善するメカニズムが必要とされる。
【００２３】
Ｅ−ＰＤＤＣＨ早期復号性能は、チャネル推定の劣化のため現行のＤＭＲＳ構造では低下する。これは、より小さい符号化レートでＥ−ＰＤＣＣＨを送ることにより、すなわち、Ｅ−ＰＤＣＣＨ送信のためにより多くのＲＥを割り当てることによって補償することができる。しかし、これによりスペクトル効率が低くなる。代替的解決策は、ＲＢについてのＤＭＲＳ送信構造を修正することであり、この場合、ＵＥがスロット当たりより多くのＤＭＲＳ  ＲＥを受け取るようにＥ−ＰＤＣＣＨが送られる。より具体的には、ＤＬ  Ｅ−ＰＤＣＣＨの早期復号の性能を改善するために、Ｅ−ＰＤＣＣＨが送信されるＲＢにおけるＤＭＲＳ  ＲＥマッピングは、ＲＢにつきアンテナ・ポート当たり１２個のＤＭＲＳ  ＲＥが第１のスロットにおいてＵＥに利用可能になるように修正されうる。ＤＭＲＳ構造を修正するオプションを以下に説明する。
【００２４】
図７Ａ〜Ｃでは、ＥＰＤＣＣＨ  ＲＢについてのＤＭＲＳ構造が、第１のスロットにおいてアンテナ・ポートＲ７およびＲ８のそれぞれに１２個のＲＥが利用可能であり、第２のスロットにおいてアンテナ・ポートＲ９およびＲ１０のそれぞれに１２個のＤＭＲＳ  ＲＥが利用可能であるように、Ｅ−ＰＤＣＣＨ  ＲＢに関して変更される。この構造では、最大２つのＤＬ  Ｅ−ＰＤＣＣＨを第１のスロットで送ることができ、各アンテナ・ポート７および８に対し１つのＥ−ＰＤＣＣＨである。第２のスロットは、最大２つのＵＬ  Ｅ−ＰＤＣＣＨを備えるＵＬ  Ｅ−ＰＤＣＣＨ送信のために使用することができ、各アンテナ・ポート９および１０に対し１つのＥ−ＰＤＣＣＨである。従来技術のＤＭＲＳ構造と比べると、図７Ａ〜７ＣのＤＭＲＳ構造は、早期復号がＤＬ  Ｅ−ＰＤＣＣＨのために使用されるときに、改善されたチャネル推定性能をもたらす。しかし、（長さ２のウォルシュ符号を有する）ＰＲＢで多重化可能なＤＬ  Ｅ−ＰＤＤＣＨの個数が４から２に減少される。また、第２のスロットがＰＤＳＣＨについて同じＵＥに割り当てられた場合、異なるチャネル推定方式が、ＤＬ  Ｅ−ＰＤＣＣＨとともにＲＢにおけるＰＤＳＣＨを復号するために使用されなければならない。この実施形態では、ＥＰＤＤＣＨ  ＲＢは第１の周波数キャリアを含み、ＰＤＣＣＨ  ＲＢは第２のセットの周波数キャリアを含み、第２のセットの周波数キャリアは第１のセットの周波数キャリアと重ならない。
【００２５】
一般に、ＵＥは、ＵＥが制御チャネル・シグナリングのために監視すべきサブフレーム内のセットのＲＢをＵＥに示す構成シグナリングを基地ユニットから受け取ることができる。例えば、制御チャネル・シグナリングは、ＥＰＤＣＣＨシグナリングに対応することができる。このセットのＲＢは、ＲＢの制御チャネル候補セットと呼ぶことができる。監視は、ＲＢの制御チャネル候補セットにおける様々な制御チャネル候補を復号する試みを暗示する。サブフレームでダウンリンク制御情報（ＤＣＩ：ｄｏｗｎｌｉｎｋ  ｃｏｎｔｒｏｌ  ｉｎｆｏｒｍａｔｉｏｎ）を受け取るために、ＵＥは、ＲＢの制御チャネル候補セットの１つまたは複数のＲＢにおいて少なくとも１つの制御チャネル候補を首尾よく復号しなければならない。基地ユニットからの構成シグナリングは、無線リソース制御（ＰＲＣ）メッセージまたは媒体アクセス制御（ＭＡＣ）層メッセージまたはＰＤＣＣＨで送られるメッセージの形態でＵＥに送ることができる。あるいは、ＵＥは、ＬＴＥシステムでのシステム情報ブロック（ＳＩＢ：Ｓｙｓｔｅｍ  Ｉｎｆｏｒｍａｔｉｏｎ  Ｂｌｏｃｋ）またはマスタ情報ブロック（ＭＩＢ：Ｍａｓｔｅｒ  Ｉｎｆｏｒｍａｔｉｏｎ  Ｂｌｏｃｋ）などのブロードキャスト・メッセージで構成シグナリングを受け取ることができる。通常、マスタ情報ブロック（ＭＩＢ）は、ＬＴＥ  Ｒｅｌｅａｓｅ８の場合は無線フレームのサブフレーム０で送られる物理ブロードキャスト・チャネル（ＰＢＣＨ：Ｐｈｙｓｉｃａｌ  Ｂｒｏａｄｃａｓｔ  Ｃｈａｎｎｅｌ）で送られる。
【００２６】
１実施形態では、ＵＥは、サブフレームの第１のリソース・ブロックにおける１つまたは複数の空間層において第１のセットのパイロット信号リソース要素および制御情報を受け取り、第１のリソース・ブロックは、サブフレーム内のセットの時間シンボルおよびサブフレームの第１のセットの周波数キャリアにわたる。ＵＥはまた、サブフレームの第２のリソース・ブロックにおける１つまたは複数の空間層において第２のセットのパイロット信号リソース要素およびデータを受け取り、第２のリソース・ブロックは、サブフレームの同じセットの時間シンボルおよびサブフレームの第２のセットの周波数キャリアにわたる。図７Ａ〜７Ｃでは、サブフレームは第１および第２のスロットのみを有し、第１および第２のリソース・ブロックの両方が、第１のスロットにおけるセットの時間シンボルにわたり、第１および第２のリソース・ブロックは、スロット０として識別される第１のスロットにおける共通の時間シンボルを共用する。図７Ａ〜７Ｃは、ＵＥが第１のセットのパイロット信号リソース要素のみを使用して制御情報を受け取ることを示している。
【００２７】
ＵＥは、制御情報が第１のリソース・ブロックにおける第１のセットのパイロット信号リソース要素を使用して受け取られる１つまたは複数の空間層を復号し、第１のセットのパイロット信号リソース要素は、層ごとに第１の個数のパイロット信号リソース要素からなる。ＵＥはまた、データが第２のリソース・ブロックにおける第２のセットのパイロット信号リソース要素を使用して受け取られる１つまたは複数の空間層を復号し、第２のセットのパイロット信号リソース要素は、層ごとに第２の個数のパイロット信号リソース要素からなる。第１の個数は第２の個数よりも大きい。図７Ａ〜７Ｃにおいて、層ごとの第１の個数のパイロット信号リソース要素は、リソース・ブロックごとの層ごとの第１の個数のパイロット信号リソース要素であり、層ごとの第２の個数のパイロット信号リソース要素は、リソース・ブロックごとの層ごとの第２の個数のパイロット信号リソース要素である。第１のセットのパイロット信号リソース要素を使用して制御情報が受け取られる１つまたは複数の空間層を復号することは、第１のセットのパイロット・リソース要素に基づいてチャネル推定を行うことを含む。ＵＥは一般に、ＵＥが第１のリソース・ブロックにおける１つまたは複数の空間層で復号した制御情報を使用して第２のリソース・ブロックにおいてデータが受け取られる１つまたは複数の空間層を復号する。
【００２８】
１実装形態では、ＵＥは、制御情報が第１のリソース・ブロックにおける第１のセットのパイロット信号リソース要素を使用して受け取られる空間層を復号し、第１のセットのパイロット信号リソース要素は、層ごとの第１の個数のパイロット信号リソース要素からなり、第１のセットのパイロット信号リソース要素は第１のアンテナ・ポートに関連付けられる。ＵＥは、データが第２のリソース・ブロックにおける第２のセットのパイロット信号リソース要素を使用して受け取られる空間層を復号し、第２のセットのパイロット信号リソース要素は、層ごとに第２の個数のパイロット信号リソース要素からなり、第２のセットのパイロット信号リソース要素はまた、第１のアンテナ・ポートに関連付けられる。例えば、図７Ａ〜７Ｃに示すサブフレーム構造を考えると、（ＥＰＤＣＣＨでの）制御情報がＲＢ０における空間層で送られることをＵＥが期待し、空間層がアンテナ・ポート７にマッピングされる場合、ＵＥは、ＲＢ０におけるアンテナ・ポート７に関連付けられた（図ではＲ７／Ｒ８とマーク付けされた）セットのパイロット信号リソース要素を使用して、空間層で送られた制御情報を復号することができる。この場合、アンテナ・ポート７に関連付けられたセットのパイロット制御リソース要素は、制御が送られるＲＢ（ＲＢ０）で使用される修正されたＤＭＲＳ構造のため、１２個のパイロット信号リソース要素からなる。さらに、ＵＥが、（ＰＤＳＣＨでの）データがＲＢ２における空間層で送られ、空間層がアンテナ・ポート７にマッピングされると決定された場合、ＵＥは、ＲＢ２におけるアンテナ・ポート７に関連付けられた（図ではＲ７／Ｒ８とマーク付けされた）セットのパイロット信号リソース要素を使用して、空間層で送られた制御情報を復号することができる。この場合、アンテナ・ポート７に関連付けられたセットのパイロット制御リソース要素は、データが送られるＲＢ（ＲＢ２）で使用される従来のＤＭＲＳ構造（例えば、ＬＴＥ  Ｒｅｌ１０）として、６個のパイロット信号リソース要素からなる。ＵＥは、ｅＮＢからの構成シグナリングに基づいて制御情報が期待されるセットのＲＢを決定することができる。ＲＢ２における複数の空間層で、例えば、１つがアンテナ・ポート７にマッピングされもう１つがアンテナ・ポート８にマッピングされた２つの空間層でデータがＵＥに送られる場合、ＵＥは、アンテナ・ポート７に関連付けられたセットのパイロット信号リソース要素を使用して、アンテナ・ポート７にマッピングされた空間層でデータを復号することができ、また、アンテナ・ポート８に関連付けられたセットのパイロット信号リソース要素を使用して、アンテナ・ポート８にマッピングされた空間層でデータを復号することができることに留意されたい。つまり、空間層ごとをベースとして、ＵＥは、ＲＢ２における層ごとの６個のパイロット信号リソース要素を使用してデータを復号することができる。
【００２９】
別の実装形態では、ＵＥは、制御情報が第１のリソース・ブロックにおける第１のセットのパイロット信号リソース要素を使用して受け取られる空間層を復号し、第１のセットのパイロット信号リソース要素は、層ごとの第１の個数のパイロット信号リソース要素からなり、第１のセットのパイロット信号リソース要素は第１のアンテナ・ポートおよび第２のアンテナ・ポートに関連付けられる。ＵＥは、データが第２のリソース・ブロックにおける第２のセットのパイロット信号リソース要素を使用して受け取られる空間層を復号し、第２のセットのパイロット信号リソース要素は、層ごとに第２の個数のパイロット信号リソース要素からなり、第２のセットのパイロット信号リソース要素は、第３のアンテナ・ポートに関連付けられる。第１のセットのパイロット信号リソース要素および第２のセットのパイロット信号リソース要素は、サブフレームにおける共通の時間シンボルを占有する。１実施形態では、第１のアンテナ・ポートは第３のアンテナ・ポートと同じであり、別の実施形態では、第１のアンテナ・ポートと第３のアンテナ・ポートは異なる。例えば、ＵＥのための（ＥＰＤＣＣＨでの）制御情報が第１のＲＢにおける空間層で送られ、空間層が２つのアンテナ・ポート、すなわちアンテナ・ポート７およびアンテナ・ポート９にマッピングされた場合、ＵＥは、両方のアンテナ・ポートに関連付けられた第１のセットのパイロット信号リソース要素を使用して、空間層で送られた制御情報を復号することができる。この場合、第１のＲＢにおける空間層が２つのアンテナ・ポートにマッピングされるため、第１のセットにおけるパイロット信号リソース要素の個数は、アンテナ・ポート７に関連付けられたパイロット信号リソース要素の個数とアンテナ・ポート９に関連付けられたパイロット信号リソース要素の個数との合計に等しい。データが第２のＲＢにおける空間層でＵＥのために送られ、空間層が１つのアンテナ・ポートすなわちアンテナ・ポート７にマッピングされた場合、ＵＥは、アンテナ・ポート７に関連付けられた第２のＲＢにおける第２のセットのパイロット信号リソース要素を使用して、空間層で送られたデータを復号することができる。図２のＤＭＲＳ構造を有するＲＢ０を第１のＲＢとし、図２のＤＭＲＳ構造を有するＲＢ２を第２のＲＢと仮定する。ＲＢ０を考えると、アンテナ・ポート７に６個のパイロット信号リソース要素が関連付けられ、アンテナ・ポート９に６個のパイロット信号リソース要素が関連付けられている。したがって、この実装形態では、ＵＥは、１２個のパイロット信号リソース要素を使用して、ＲＢ０における空間層で送られた制御情報を復号することができる。ＲＢ２を考えると、アンテナ・ポート７に６個のパイロット信号リソース要素が関連付けられている。したがって、ＵＥは、６個のパイロット信号リソース要素を使用して、ＲＢ２における空間層で送られたデータを復号することができる。より一般的には、この実装形態では、第１のＲＢにおける空間層において制御情報を復号するために、ＵＥは、第１の空間層からアンテナ・ポートへのマッピング（例えば、１つの空間層が２つのアンテナ・ポートにマッピングされる）を想定することができ、第２のＲＢにおける空間層においてデータを受信するために、ＵＥは、第２の空間層からアンテナ・ポートへのマッピング（例えば、１つの空間層が１つのアンテナ・ポートにマッピングされる）を想定することができる。この実装形態では、ＲＢにおける空間層で制御情報を受け取るためにＵＥが使用できるパイロット信号リソース要素の個数は、ＲＢにおけるＤＭＲＳ構造を修正することなしに増大される。代替実装形態では、ＵＥのための（ＥＰＤＣＣＨにおける）制御情報は、第１のＲＢにおける２つの空間層上で複製され送信され、第１の空間層は第１のアンテナ・ポート（例えば、アンテナ・ポート７）に関連付けられ、第２の空間層は第２のアンテナ・ポート（例えば、アンテナ・ポート９）に関連付けられている。２つの空間層上の制御情報の複製は、制御情報のための有効な単一層をもたらす。制御情報に対する有効なプリコーディングは、第１のアンテナ・ポート上の第１の空間層に適用されるプリコーディングと、第２のアンテナ・ポート上の第２の空間層に対するプリコーディングとの合計である。このようにして、ＵＥは、両方のアンテナ・ポートに関連付けられた第１のセットのパイロット信号リソース要素を使用して、２つの空間層で送られた制御情報を復号することができる。第１のセットにおけるパイロット信号リソース要素の個数は、アンテナ・ポート７に関連付けられたパイロット信号リソース要素の個数とアンテナ・ポート９に関連付けられたパイロット信号リソース要素の個数との合計に等しい。
【００３０】
別の実施形態では、ＵＥは、サブフレームの第３のリソース・ブロックにおける１つまたは複数の空間層において第３のセットのパイロット信号リソース要素およびデータを受け取り、第３のリソース・ブロックは、サブフレームの第２のセットの時間シンボルおよびサブフレームの第１のセットの周波数キャリアにわたる。ここで、サブフレームの第２のセットの時間シンボルは、サブフレームの第１のセットの時間シンボルと異なる。図７Ａ〜７Ｃにおいて、第１のリソース・ブロックは時間シンボル０〜６にわたるスロット０内にあり、第３のリソース・ブロックは時間シンボル７〜１３にわたるスロット１内にある。この実施形態では、第１および第３のリソース・ブロックは第１のセットの周波数キャリアを共用する。この実施形態によれば、ＵＥは、第３のセットのパイロット信号リソース要素を使用して第３のリソース・ブロックにおいてデータが受け取られる１つまたは複数の空間層を復号し、第３のセットのパイロット信号リソース要素は、層ごとに第３の個数のパイロット信号リソース要素からなり、第３の個数は、第１の個数以上であるかまたは第１の個数より大きい。１実装形態では、第３の個数は、第１の個数の２倍と等しい。
【００３１】
図８Ａ〜８Ｃの修正されたＤＭＲＳ構造は、第１のスロットについて図７Ａ〜７Ｃの実施形態と類似する。しかし、図８Ａ〜８Ｃの第２のスロットは次のように異なる。つまり、スロット１内のＤＭＲＳ  ＲＥをアンテナ・ポート９および１０に再マッピングする代わりに、アンテナ・ポート７および８のためにＤＭＲＳ  ＲＥが使用される。この構造により、第１のスロットで２つのＤＬ  Ｅ−ＰＤＣＣＨを送ることができる（各アンテナ・ポート７および８上のＥ−ＰＤＣＣＨ）。第２のスロットは、ＵＬ  Ｅ−ＰＤＣＣＨ送信またはＰＤＳＣＨ送信のために使用可能である。ＲＢペアが同じユーザのために（例えば、アンテナ・ポートＲ７を使用して）Ｅ−ＰＤＣＣＨおよびＰＤＳＣＨを送信するために使用されるとき、ＰＤＳＣＨ復調のため、ＵＥは、第１のスロットＲＢで利用可能な１２個のＤＭＲＳ  ＲＥおよび第２のスロットＲＢで利用可能な１２個のＤＭＲＳ  ＲＥをチャネル推定のために使用することができる。あるいは、ＵＥは、第１のスロット内の６個のＤＭＲＳ  ＲＥおよび第２のスロット内の６個のＤＭＲＳ  ＲＥを使用してもよい。この選択肢では、アンテナ・ポート７およびアンテナ・ポート８についてのＰＤＳＣＨ復調のためのＤＭＲＳ構造は、ＬＴＥ  Ｒｅｌ−１０）から変更されない。
【００３２】
従来技術のＤＭＲＳ構造と比較すると、図８Ａ〜８ＣのＤＭＲＳ構造は、早期復号がＤＬ  Ｅ−ＰＤＣＣＨのために使用されるとき改善されたチャネル推定性能をもたらす。図７Ａ〜７ＣのＤＭＲＳ構造と比較すると、ＵＥ実装形態が、スロット１においてＰＤＳＣＨ復号を処理するのがより容易である（すなわち、同じＤＭＲＳマッピングが、Ｅ−ＰＤＣＣＨを含むＲＢペアおよびＰＤＳＣＨを含むＲＢペアで想定されうる）。しかし、現行のＲｅｌ−１０ＤＭＲＳ構造と比較すると、図８Ａ〜８Ｃの修正されたＤＭＲＳ構造では、（長さ２のウォルシュ符号を有する）ＰＲＢペアで多重化されうるポートの個数（例えば、ＤＬ  ＥＰＤＣＣＨの個数）が４から２に減少される。また、第２のスロットが（同じまたは異なるＵＥへのＥ−ＰＤＣＣＨの代わりに）同じＵＥへのＰＤＳＣＨに対し割り当てられる場合、第２のスロットに対するＰＤＳＣＨの最大個数が２に制限される。パイロット・オーバヘッドも増大される。
【００３３】
これまでの議論では（時間領域における）長さ２のウォルシュ符号を使用してＵＥに送られる４個のアンテナ・ポート７、８、９、１０を使用する送信を考えていたが、長さ４のウォルシュ符号を用いて８個のアンテナ・ポート７、８、９、１０、１１、１２、１３、１４をカバーするように拡張することも可能である。
【００３４】
図７および８の両方の修正されたＤＭＲＳ構造に関して、同じアンテナ・ポートについて異なるパイロット構造によって同じ時間シンボルを占有する２つの異なるＲＢ（Ｅ−ＰＤＣＣＨに対する１つのＲＢおよびＰＤＳＣＨに対する１つのＲＢ）を受け取るＵＥの態様は、現行および従来の３ＧＰＰシステムで必要とされなかったが、それは、ＵＥがＤＭＲＳを使用してＰＤＳＣＨのみを受け取ることが期待され、ＰＤＳＣＨは常にＲＢペアを使用して割り当てられたからである。しかし、ＬＴＥ  Ｒｅｌ−１１では、ＵＥは、同じセットの時間シンボルでＥ−ＰＤＣＣＨとＰＤＳＣＨの両方を受け取ることが期待される。Ｅ−ＰＤＣＣＨが第１のスロットのみに制限される場合（これは早期復号のために望ましい）、図７Ａ〜７Ｃおよび図８Ａ〜８Ｃでの新しいＤＭＲＳ構造は、チャネル推定の強化に有益である。
【００３５】
Ｅ−ＰＤＣＣＨがサブフレームにおけるＲＢペアの第１のスロット（スロット０）で送られる場合、サブフレームにおけるＲＢペアの第２のスロット（スロット１）がＰＤＳＣＨのために割り当てられる場合、かつＭＵ−ＭＩＭＯ（マルチユーザＭＩＭＯ）動作が第１のスロットにおけるＥ−ＰＤＣＣＨ上で実行されないとＵＥが想定できる場合、両方の基準信号ＣＤＭグループ上で長さ４のＯＣＣ（Ｏｒｔｈｏｇｏｎａｌ  Ｃｏｖｅｒ  Ｃｏｄｅ：直交カバー符号）のサブセットを使用して第２のスロットにおけるＰＤＳＣＨのために、最大５層がサポートされうる。図２では、ＣＤＭグループ１が、ＲＢペア（例えばＲＢ０およびＲＢ２）におけるサブキャリア０、５、１０上のセットの基準信号リソース要素に対応し、ＣＤＭグループ２が、ＲＢペアにおけるサブキャリア１、６、１１上のセットの基準信号リソース要素に対応する。ＣＤＭグループ１は、時間領域で長さ４のＯＣＣ（例えば、ウォルシュ）を使用してアンテナ・ポート７、８、１１、１３に関連付けられ、ＣＤＭグループ１は、時間領域で長さ４のＯＣＣ（例えば、ウォルシュ）を使用してアンテナ・ポート９、１０、１２、１４に関連付けられる。アンテナ・ポートに対するＯＣＣ符号は、ＲＢペアにおける異なるサブキャリア上で置換（例えば、時間反転）されうる。しかし、第２のスロットにおけるＰＤＳＣＨに対し最大５層をサポートするには、第２のスロット上のＰＤＳＣＨを有するそうしたＲＢに関してＲｅｌ−１０とは異なる層２〜４についての層対アンテナ・ポートのマッピングを必要とすることになる。
【００３６】
例えば、アンテナ・ポート７に関連付けられたＤＭＲＳ  ＲＥに基づくＥ−ＰＤＣＣＨが、サブフレームの第１のスロットにおけるＲＢペアの第１のＲＢでＵＥによって受け取られる場合、サブフレームの第２のスロットにおける同じＲＢペアの第２のＲＢを受け取るための可能なＰＤＳＣＨ層対アンテナ・ポートのマッピング方法は、以下の通りである。
【００３７】
２ＰＤＳＣＨ層：ポート７、８
３ＰＤＳＣＨ層：ポート７、８、１０
４ＰＤＳＣＨ層：ポート７、８、１０、１４
５ＰＤＳＣＨ層：ポート７、８、１０、１３、１４
【００３８】
【表１】
0005814470.tif 000002
【００３９】
さらに、第２のスロットにおいてＰＤＳＣＨがスケジュールされるＵＥに対する制限なしに、（ポート８、１０、１３および１４の固定されたセットを有する）ランクが下げられた送信（＜＝４）が、ＥＰＤＣＣＨと重なるＲＢにおいてサポートされうる。すなわち、ＥＰＤＣＣＨはＵＥ１へ割り当てられることができ、ＰＤＳＣＨは、最大ランク４の送信とともに任意のＵＥｘに割り当てられることができる。これにより、ｅＮＢにおける小さなスケジューリング制約が課せられるが、それは著しい制限ではない。
【００４０】
１実施形態では、ＵＥは、サブフレームにおける複数のリソース・ブロックにおいて制御情報（例えば、ＥＰＤＣＣＨ）を受け取るように構成される。ＵＥは、サブフレームの第１のスロット内の複数のリソース・ブロックのうちの１つにおいて第１のアンテナ・ポートに基づき制御情報を復号する。ＵＥは、復号された制御情報に基づいてＵＥのデータ割当て（例えば、ＰＤＳＣＨ割当て）を決定する。データ割当ては、セットのリソース・ブロックとして決定されうる。次いで、ＵＥは、それで制御情報を受け取るように構成された複数のリソース・ブロックと重ならないサブフレームの第２のスロットにおける第１のセットのリソース・ブロックを決定することができる。次いで、ＵＥは、第１のセットの事前構成されたアンテナ・ポートを使用して第１のセットのリソース・ブロックにおけるデータ（ＰＤＳＣＨ）を復号（または復調）することができる。ＵＥはまた、それで制御情報を受け取るように構成された複数のリソース・ブロックと重なるサブフレームの第２のスロットにおける第２のセットのリソース・ブロックを決定することができる。次いで、ＵＥは、第２のセットの事前構成されたアンテナ・ポートを使用して第２のセットのリソース・ブロックにおいてデータ（ＰＤＳＣＨ）を復号（または復調）することができ、ここで、第２のセットの事前構成されたアンテナ・ポートは、第１のセットの事前構成されたアンテナ・ポートと異なる。１実装形態では、第１のセットの事前構成されたアンテナ・ポートは、それぞれランク１、２、３、４の送信のためのアンテナ・ポート・セット｛７｝、｛７，８｝、｛７，８，９｝、｛７，８，９，１０｝に対応することができる。第２のセットの事前構成されたアンテナ・ポートは、それぞれランク１、２、３、４のためのアンテナ・ポート・セット｛８｝、｛８，１０｝、｛８，１０，１３｝、｛８，１０，１３，１４｝に対応することができる。ＵＥはさらに、ＵＥが制御送信とデータ送信の両方を受け取ることができるセットのリソース・ブロックを決定することができ、決定されたセットのリソース・ブロックについて、ＵＥは、データを受け取るために第３のセットの事前構成されたアンテナ・ポートを使用することができる。第３のセットの事前構成されたアンテナ・ポートは、それぞれランク１、２、３、４、５のためのアンテナ・ポート・セット｛７｝、｛７，８｝、｛７，８，１０｝、｛７，８，１０，１３｝、｛７，８，１０，１３，１４｝のうちの１つまたは複数に対応することができる。
【００４１】
本開示およびその最良の形態は、占有物を確定し当業者がそれを作製し使用できるように説明されているが、本明細書に開示の例示的実施形態の均等物があり、また本発明の範囲および趣旨から逸脱することなく例示的実施形態に対し修正および変形が可能であり、それらは例示的実施形態ではなく添付の特許請求の範囲によって限定されることは理解され認識されよう。
【図１Ａ】
0005814470.tif 000003
【図１Ｂ】
0005814470.tif 000004
【図１Ｃ】
0005814470.tif 000005
【図２Ａ】
0005814470.tif 000006
【図２Ｂ】
0005814470.tif 000007
【図２Ｃ】
0005814470.tif 000008
【図３】
0005814470.tif 000009
【図４】
0005814470.tif 000010
【図５】
0005814470.tif 000011
【図６】
0005814470.tif 000012
【図７Ａ】
0005814470.tif 000013
【図７Ｂ】
0005814470.tif 000014
【図７Ｃ】
0005814470.tif 000015
【図８Ａ】
0005814470.tif 000016
【図８Ｂ】
0005814470.tif 000017
【図８Ｃ】
0005814470.tif 000018